(57)【要約】      （修正有）【課題】左右のどの足でも靴のどちら側からでも自由に履くことができ、しかも、履き心地の良い履物を提供する。【解決手段】前後左右対称の底材１と、前後左右対称で左右の中央に縦長の貫通したスリット２を有する敷材３と、可撓性を有し前後左右対称で前後の幅が左右が狭く中心が広く形成され横手方向に長い空間部４を中央に有した甲材５と、上下方向にのみ伸縮する復元性を有した左右の伸縮バンド６で構成されており、底材１と敷材３が固定され、底材１の上に敷材３が固定され、甲材５の左右両端にそれぞれ伸縮バンド６の上部が固定され、伸縮バンド６の下部が敷材３より下で底材１の上部に固定され、伸縮バンド６とスリット２はフリーな状態であり、甲材５の左右両端が敷材３の表面と接しており、足を入れるだけで足の甲や側面の形に合うように甲材５の形が自然に変形する構造であることを特徴とする。【選択図】図１０
0003101881.tif 000002
【実用新案登録請求の範囲】
【請求項１】
左右のどの足でも靴のどちら側からでも自由に履くことのできる履物であって、前後対称左右対称で一定の厚みを有する底材（１）と、前後対称左右対称で一定の厚みを有し左右の中央に縦長の貫通したスリット（２）を有した敷材（３）と、前後対称左右対称で可撓性を有し縦幅が左右両端が狭く中心が広く形成され中央に横手方向に長い空間部（４）を有した甲材（５）と、上下方向にのみ伸縮する復元性を有した左右の伸縮バンド（６）で構成されており、底材（１）の上に敷材（３）が固定され、甲材（５）の左右両端にそれぞれ伸縮バンド（６）の上部が固定され、伸縮バンド（６）の下部が敷材（３）より下で底材（１）の上方に固定され、伸縮バンド（６）とスリット（２）はフリーな状態であり、甲材（５）の左右両端が敷材（３）の表面と接しており、甲材（５）は中央の空間部（４）から見てその前後を前ベルト部分（７）と後ベルト部分（８）とし空間部（４）と左右両端との間を横ベルト部分（９）とし、甲材（５）の横ベルト部分（９）は前ベルト部分（７）と後ベルト部分（８）と伸縮バンド（６）とを連結する働きを有した部分であり、足を入れるだけで、横ベルト部分（９）の下端の前方は敷材（３）の表面に接した状態のまま動かず、横ベルト部分（９）の前方は前ベルト部分（７）とともに前方へ傾斜しながら下方へ押し下げられ外側に湾曲して横幅が前方に拡開し、横ベルト部分（９）の下端の後方は伸縮バンド（６）の復元力に抗して後ベルト部分（８）とともに引き上げられて敷材（３）の表面から離れ、後ベルト部分（８）は前ベルト部分（７）よりも大きく前傾して空間部（４）の前後の幅を詰めながら前ベルト部分（７）に接近し、後ベルト部分（８）が引き上げられ前ベルト部分（７）と後ベルト部分（９）が前方に傾斜して接近したことで生じた歪みを横ベルト部分（９）で変形吸収し、足の甲や側面の形に合うように甲材（５）の形が変化する構造であることを特徴とする履物。
【請求項２】
底材（１）と敷材（３）の前方と後方の横幅が広く形成されたことを特徴とする請求項１記載の履物。
【請求項３】
甲材（５）の左右両端の内部に伸縮バンド（６）の上部が固定されたことを特徴とする請求項１又は２記載の履物。
【請求項４】
伸縮バンド（６）がゴム入り織物であることを特徴とする請求項１、２又は３記載の履物。
【考案の詳細な説明】
【技術分野】
【０００１】
本考案は、左右のどの足でも靴のどちら側からでも自由に履くことのできる履物に関するものである。
【背景技術】
【０００２】
人間の足は右足と左足は左右対称であるが、足の形は前後も左右も非対称形である。普通は履物は人間の足の形に合わせて型が作られているので、右足は右足専用の履物でなければ履くことが出来ないし、左足は左足専用の履物でなければ履くことが出来ない。また、履物には前と後ろがあり、後ろからは履けるが、前からは履くことが出来ない。
【０００３】
そこで、双方向から履くことの出来る履物が考えられた。たとえば、特開平０７−２３６５０１号公報や特開平０８−３０８６０１号公報の履物がある。特開平０７−２３６５０１号公報には、サンダル本体が、甲被保持具、中敷部と基底部を一体に形成したものであり、サンダル本体の中央の両側部に甲被保持具の段部を凹設し、この凹設した段部にゴム弾性体の甲被保持具の下部を埋設して装着してこの甲被保持具を介して甲被部を回転可能に取着した履物が記載されている。特開平０８−３０８６０１号公報には、底材と、該底材の足甲挿入方向中央付近の両側縁部近傍間にて両下端が不動固定され上方へ自立する可撓性甲材と、から成る双方向履物において、可撓性甲材を、不使用状態で上方へ自立しており、使用状態で足甲に沿うように変形可能となるものであって、甲材の下部を伸縮部材で構成した履物が記載されている。人間の足の形は個人差が大きい。普通の履物でさえ、足の形に合う合わないがある。双方向から履ける履物の場合、どちらからでも履けることの代償として足に合った履き心地のよさを犠牲にしているものがほとんどであり、足の形の微妙な個人差にまで対応できるものは見当たらなかった。
【特許文献１】特開平０７−２３６５０１号公報
【特許文献２】特開平０８−３０８６０１号公報
【考案の開示】
【考案が解決しようとする課題】
【０００４】
上記した従来の双方向から履くことの出来る履物には、すべてに共通する問題点があった。それは、履き心地の悪さということに集約される。履き心地の悪さの原因は決して一つではなく、いくつかの原因が複合しており、足にかかる負担は大きなものであった。
【０００５】
原因の第１は、ゴム全体の伸縮によって甲材（甲被部）の全体が足を強く締め付けるため、長く履いていられない場合である。特許文献１の履物がこれに当たる。履く時に、伸縮部材の全体を引き伸ばして足を押し込まなければならないので、非常に窮屈である。
【０００６】
原因の第２は、甲材が前後に回転可能で、足を入れると甲材が前方に傾斜する構造の場合、歩行時に足が浮くと足にぶら下がっている履物の甲材の角度が固定されておらず不安定に動くため非常に歩きにくい場合である。特許文献１の履物がこれに当たる。この現象は、甲材を足を縛るリボンにたとえてみると理解しやすい。本体の左右両端の中央部分からそれぞれ一本づつリボン紐が出ていて、左右のリボン紐を前傾させて足の甲の前方部分で縛ったのと同じ力学的状態であるため、足を上げると本体が足に対して前方に移動して緩んでしまうのである。甲材で本体を足に支持する力は、回転の中心軸と甲材の中心を通る線に集中している。また、甲材が前後に回転する可動範囲の角度が大きいため、不安定さは増大していた。また、甲材と本体を連結している伸縮部材に伸縮性があるため、足を入れた時に甲材が回転運動を起こすという当初の働きだけでなく、歩行時に甲材が前後左右に移動してしまい、足は本体上を滑り、履物と足の一体感がなく、グリップがきかないため、非常に歩きにくく危険である。
【０００７】
原因の第３は、前後どちらからでも履けるようにするために、甲材は立体的な寸胴構造なので、足の側面の骨の凸部分（図１８中Ａの箇所とＢの箇所を参照）に集中的に力が加わり、歩行時には足が横に広がるのを阻止されて歩きにくい場合である。両特許文献の履物もこれに当たる。足の指の骨が甲材に当たって痛い。外反母趾の人は、図１８中Ｂの箇所が大きく突き出ているので、なおさら履きにくい。
【０００８】
原因の第４は、可撓性を有する甲材が横方向に撓んでアーチ状に変形するため、反対に縦方向には変形しにくくなるため、甲材を足の甲の形に完全に合わせることができない場合である。両特許文献の履物がこれに当たる。足の甲の上面は直線的ではなく、甲の前半を形成する指の骨の角度より後半の甲の角度の方が少し大きくなっているので（図中Ｃが甲の前半と後半の境である。）、これではフィット感は得られない。従来の履物の甲材は、一方向の２次元的で単純な変形しかできない構造である。
【０００９】
原因の第５は、普通の履物と異なる特殊構造を有するため、外見に違和感が生じて履くのに抵抗を感じる場合である。特許文献１の履物は回転可能な構造物がむき出しになっており、特許文献２の履物は面積の小さな甲材と面積の大きなゴムやニットやスプリング等の伸縮部材を有する構造であり、両特許文献の履物もこれに当たる。従来、双方向から履くことの出来る履物が広く普及しない大きな理由がこの外観の問題である。また、特殊構造を有した箇所が露出しているため、足を入れる時に指や靴下やストッキングが引っ掛かりを起こしたり、歩行時に足に当たるなどの問題を生じていた。
【００１０】
原因の第６は、底材や敷材等の本体部分の形はどれもがほぼ単純な楕円形であるため、親指が敷材から横にはみ出して落ちてしまうことがあり、両特許文献の履物もこれに当たる。
【００１１】
本考案は、上記した双方向から履くことの出来る従来の履物の問題点を解決して、履き心地の良い履物を提供することを目的とする。
【課題を解決するための手段】
【００１２】
請求項１記載の本考案は、左右のどの足でも靴のどちら側からでも自由に履くことのできる履物であって、前後対称左右対称で一定の厚みを有する底材と、前後対称左右対称で一定の厚みを有し左右の中央に縦長の貫通したスリットを有した敷材と、前後対称左右対称で可撓性を有し縦幅が左右両端が狭く中心が広く形成され中央に横手方向に長い空間部を有した甲材と、上下方向にのみ伸縮する復元性を有した左右の伸縮バンドで構成されており、底材の上に敷材が固定され、甲材の左右両端にそれぞれ伸縮バンドの上部が固定され、伸縮バンドの下部が敷材より下で底材の上方に固定され、伸縮バンドとスリットはフリーな状態であり、甲材の左右両端が敷材の表面と接しており、甲材は中央の空間部から見てその前後を前ベルト部分と後ベルト部分とし空間部と左右両端との間を横ベルト部分とし、甲材の横ベルト部分は前ベルト部分と後ベルト部分と伸縮バンドとを連結する働きを有した部分であり、足を入れるだけで、横ベルト部分の下端の前方は敷材の表面に接した状態のまま動かず、横ベルト部分の前方は前ベルト部分とともに前方へ傾斜しながら下方へ押し下げられ外側に湾曲して横幅が前方に拡開し、横ベルト部分の下端の後方は伸縮バンドの復元力に抗して後ベルト部分とともに引き上げられて敷材の表面から離れ、後ベルト部分は前ベルト部分よりも大きく前傾して空間部の前後の間隔を詰めながら前ベルト部分に接近し、後ベルト部分が引き上げられ前ベルト部分と後ベルト部分が前方に傾斜して接近したことで生じた歪みを横ベルト部分で変形吸収し、足の甲や側面の形に合うように甲材の形が変化する構造であることを特徴とする。
【００１３】
請求項２記載の本考案は、前記履物の底材と敷材の前方と後方の横幅が広く形成されたことを特徴とする。
【００１４】
請求項３記載の本考案は、前記履物の甲材の左右両端の内部に伸縮バンドの上部が固定されたことを特徴とする。
【００１５】
請求項４に記載された本考案は、伸縮バンドがゴム入り織物であることを特徴とする。
【００１６】
上記した本考案の履物は、左右のどの足でも靴のどちら側からでも足を入れるだけで簡単に履くことができ、足を入れると甲材が足の甲や側面の形に合う形状に変形して足にフィットし、履き心地が良く、非常に歩きやすい。伸縮バンドは後方だけがわずかに伸びるだけなので、足全体を締め付けることがなく、長く履いていても平気である。甲材の機能を説明するために、便宜上、甲材を前ベルト部分と後ベルト部分と左右の横ベルト部分の４つに分けることが出来る（代表して図１５参照。斜線部分を横ベルト部分と呼んでいる。）。側面から見た履物の甲材は、台形を逆さにした形をしている。甲材をリボンに置き換えて説明すると、前ベルト部分と後ベルト部分の二本のリボンがあり、前のリボンは前傾して比較的緩いが、後ろのリボンはほぼ垂直にしっかりと足を締めた状態となる。本体（底材と敷材）を足に支持する力は、横ベルト部分の後方と後ベルト部分の後方を通る線に集中している。空間部を設けたことで前ベルト部分と後ベルト部分が独立懸架方式で本体を足に支持でき、歩行時も安定しており、足にかかる力も分散されて履き心地がいい。甲材の前傾は、軸を中心とした回転によるものではなく、全体の自然な変形によるものであり、本体の支持は安定している。甲材と底材を連結する伸縮バンドは、伸縮部分の長さが敷材の厚みとほぼ同等に短く、伸縮性は上下方向に限られているため、履いて歩いても甲材が前後左右に移動することなく、足は滑らず、グリップがきいて歩きやすい。横ベルト部分と前ベルト部分が前方に拡開するため、足の側面の骨の凸部分（図１８中Ａの箇所とＢの箇所を参照）が甲材の内側に強く当たることを防止でき、痛くならない。甲材が前方に拡開した形状なので、外反母趾の人でも問題なく履くことが出来る。可撓性を有した甲材は、横方向に撓んでアーチ状に変形するのみならず、空間部の存在と横ベルト部分の変形によって縦方向にも変形するため、足の甲の上面の角度にも完全に対応することができ、優れたフィット感が得られる。空間部があることにより甲材が変形する自由度が高まり、前後のどちらから足を入れても履き心地の良い形に変形し、歩行時の様々な動きにも柔軟に対応して足への負担を軽くすることができる。普通の履物と外観上異なるのは、履く前は前後対称左右対称である点と空間部を有する点のみであり、履いた時点では普通の履物と別段異なる点がないため、外見に違和感はなく抵抗なく履くことができる。伸縮バンドの伸縮する部分は、普段の状態ではスリットの敷材の厚みの中に収納されて見えず、足を入れた状態では後方に小さくのぞいて見えるか見えないか程度であり、実際には影と見分けが付かずだれも気付かないほど目立たない（図１０参照）。特殊構造の露出がないので、履く時に指等が引っ掛ることも、歩行時に足に当たることもない。甲材の形（前ベルト部の前傾角度と高さと広がり方、後ベルト部の前傾角度と高さと広がり方、空間部の前後の間隔）は、履く前と履いた後では変化するし、歩行時にも変化するし、人の足の形の違いによっても変化する。
【００１７】
本体（底材と敷材）の前方と後方の横幅を広く形成することにより、親指が本体の横からはみ出して落ちてしまうことを防止できる。一つのデザインとしては、ピーナッツに似た形となる（図９参照）。
【００１８】
甲材の左右両端の内部に伸縮バンドの上部を固定することで、伸縮バンドはまったく見えないし、伸縮バンドが足に当たることも絶対に起きない。
【００１９】
伸縮バンドには、ゴム入り織物が適している。伸縮方向が上下に限定されたゴム入り織物を用いることにより、底材と敷材に対する甲材の安定性が高まり、甲材が前後や左右に移動することを防止できる。
【考案の効果】
【００２０】
以上説明したように本考案の履物によれば、左右のどの足でも靴のどちら側からでも自由に足を入れるだけで簡単に履くことができ、足を入れることにより、甲材が足の甲や側面の形に合う形状に自動的に変形して足にフィットし、履き心地が良く、非常に歩きやすい。足を締め付けることがなく、長く履いても大丈夫である。前ベルト部分は比較的緩く、後ベルト部分は垂直にしっかりと足を支持することが出来る。前ベルト部分と後ベルト部分が独立懸架方式で本体を足に支持でき、歩行時も安定しており、足にかかる力も分散されて履き心地がいい。横ベルト部分は足を入れても回転せず、安定している。履いて歩いても甲材が前後左右に移動することなく、足は滑らず、グリップがきいて歩きやすい。横ベルト部分と前ベルト部分が前方に拡開するため、足の側面の骨の凸部分が甲材の内側に強く当たることを防止でき、痛くならず、外反母趾の人でも問題なく履くことが出来る。甲材は横方向だけでなく縦方向にも変形でき、３次元的な複雑な変形により、優れたフィット感が得られる。足の甲の上面の縦方向の角度にもフィットして支持できる。空間部があることにより甲材が変形する自由度が高まり、前後のどちらからでも足を入れられるのに履き心地が良く、歩行時の様々な動きにも柔軟に対応して足への負担を軽くすることができる。甲材の形（前ベルト部の前傾角度と高さと広がり方、後ベルト部の前傾角度と高さと広がり方、空間部の前後の間隔）は、履く前と履いた後では変化するし、歩行時にも変化するし、人の足の形の違いによっても変化する。個人差にも対応することが出来る。外観が普通の履物とほとんど変わらないので、違和感を感じないで履くことが出来る。露出する部分に特殊な構造は一切ないので、履く時に指等が引っ掛ることも、歩行時に足に当たって痛いこともない。
【００２１】
本体（底材と敷材）の前方と後方の横幅を広く形成することで、親指が本体の横からはみ出して落ちてしまうことを防止できる。
【００２２】
甲材の左右両端の内部に伸縮バンドの上部を固定することで、伸縮バンドはまったく見えなくなり、伸縮バンドが足に当たることもない。
【００２３】
伸縮バンドにゴム入り織物を用いれば、履き心地の優れた履物となる。伸縮方向が上下に限定されたゴム入り織物を用いることにより、底材と敷材に対する甲材の安定性が高まり、甲材が前後や左右に移動することを防止できる。
【考案を実施するための最良の形態】
【００２４】
以下、本考案の実施の形態を図面に基づいて説明するが、本考案がこれにのみ限定されるべきでないことはいうまでもない。
【００２５】
図中１は、一定の厚みを有した前後対称左右対称の底材である。図９以外の図面の底材１は、横幅がほぼ変わらないタイプである。図９の底材１は、前後の幅が広いタイプである。図中３は、前後対称左右対称で一定の厚みを有し左右の中央には縦長スリット２がの貫通している敷材である。図９以外の図面の敷材３は、横幅がほぼ変わらないタイプである。図９の敷材３は、前後の幅が広いタイプである。底材１の上に敷材３が一体的に固定されている。図中５は、可撓性を有する前後対称左右対称で縦幅が左右が狭く中心が広く形成され横手方向に長い空間部４を中央に有した甲材である。空間部４は、機能が発揮できる横幅と前後の間隔が確保されていれば、デザインはある程度自由である。図１５〜図１８以外の甲材５の空間部４は長方形に形成されている。図１５の甲材５の空間部４は両端が丸く前後が直線に形成されている。図１６の甲材５の空間部４は中央が広く端にいくにつれてすぼまり両端が丸く形成されている。図１７の甲材５の空間部４はひし形に形成されている。図１８の甲材５の空間部４は中央よりも両端が広く形成されている。いずれの場合も、空間部４の前方が前ベルト部分７、後方が後ベルト部分８、空間部４の両端から甲材５の両端部までが横ベルト部分９である。図中６は、上下方向にのみ伸縮する復元性を有した左右の伸縮バンドである。上下方向にのみ伸縮する織物の中に復元力を有したゴムが何本も縦に入った構造をしている。 伸縮バンド６には、幅の広いゴム入り織物が適しているが、それ以外の材料を用いてもよい。伸縮バンド６の下部は、底材１と敷材３の間に挟んだ状態で固定されているが、伸縮バンド６とスリット２がフリーな状態であれば、固定方法は基本的に自由である。伸縮バンド６の上部は、甲材５の左右両端内部にそれぞれ固定されている。図示しないが、場合によっては伸縮バンド６を２枚重ねて復元力を強化することができる。履物の甲材５を側面から見ると、中央に空間部４を有し台形を逆さにした形となる。左右のどの足でも靴のどちら側からでも自由に、敷材３とアーチ状に横方向に撓んでいる甲材５の間に足を入れるだけで、横ベルト部分９の下端の前方は敷材３の表面に接した状態のまま動かず、横ベルト部分９の前方は前ベルト部分７とともに前方へ傾斜しながら下方へ押し下げられ外側に湾曲して横幅が前方に拡開し、横ベルト部分９の下端の後方は伸縮バンド６の復元力に抗して後ベルト部分８とともに引き上げられて敷材３の表面から離れ、後ベルト部分８は前ベルト部分７よりも大きく傾斜して空間部４の前後の幅を詰めながら前ベルト部分７に接近し、前ベルト部分７と後ベルト部分８が前方に傾斜しながら互いに接近することで生じるたわみを横ベルト部分９が変形吸収して、足の甲や側面の形に合うように甲材５の形が自然に変形する構造となっている。甲材５は、横方向だけでなく縦方向にも変形でき、３次元的で複雑な変形が可能な構造をしている。甲材の形（前ベルト部７の前傾角度と高さと広がり方、後ベルト部８の前傾角度と高さと広がり方、空間部４の前後の間隔）は、履く前と履いた後では変化するし、歩行時にも変化するし、人の足の形の違いによっても変化する。
【図面の簡単な説明】
【００２６】
【図１】履いていない状態の履物をあらわす側面図。
【００２７】
【図２】向かって右側から足を入れた状態の履物をあらわす側面図。
【００２８】
【図３】向かって左側から足を入れた状態の履物をあらわす側面図。
【００２９】
【図４】履いていない状態の履物をあらわす正面図。
【００３０】
【図５】向かって向う側から足を入れた状態の履物をあらわす正面図。
【００３１】
【図６】向かってこちら側から足を入れた状態の履物をあらわす背面図。
【００３２】
【図７】履いていない状態の履物をあらわす平面図。
【００３３】
【図８】向かって右側から足を入れた状態の履物をあらわす平面図。
【００３４】
【図９】本体の前後の横幅が広くなっている履物をあらわす平面図。
【００３５】
【図１０】右足を履いた状態の履物をあらわす斜視図。
【００３６】
【図１１】履いていない状態の履物をあらわす説明図。
【００３７】
【図１２】向かって右側から足を入れた状態の履物をあらわす説明図。
【００３８】
【図１３】履いていない状態の履物をあらわす説明図。
【００３９】
【図１４】向かってこちら側から足を入れた状態の履物をあらわす説明図。
【００４０】
【図１５】展開した甲材をあらわす平面図。
【００４１】
【図１６】展開した甲材をあらわす平面図。
【００４２】
【図１７】展開した甲材をあらわす平面図。
【００４３】
【図１８】展開した甲材をあらわす平面図。
【００４４】
【図１９】足の平面をあらわす説明図。
【００４５】
【図２０】足の側面をあらわす説明図。
【符号の説明】
【００４６】
１    底材
２    スリット
３    敷材
４    空間部
５    甲材
６    伸縮バンド
７    前バンド部分
８    後バンド部分
９    横バンド部分
【図１】
0003101881.tif 000003
【図２】
0003101881.tif 000004
【図３】
0003101881.tif 000005
【図４】
0003101881.tif 000006
【図５】
0003101881.tif 000007
【図６】
0003101881.tif 000008
【図７】
0003101881.tif 000009
【図８】
0003101881.tif 000010
【図９】
0003101881.tif 000011
【図１０】
0003101881.tif 000012
【図１１】
0003101881.tif 000013
【図１２】
0003101881.tif 000014
【図１３】
0003101881.tif 000015
【図１４】
0003101881.tif 000016
【図１５】
0003101881.tif 000017
【図１６】
0003101881.tif 000018
【図１７】
0003101881.tif 000019
【図１８】
0003101881.tif 000020
【図１９】
0003101881.tif 000021
【図２０】
0003101881.tif 000022